(57)【要約】【課題】固形墨の特性を備えた粉末状の墨を実現する。【解決手段】魚の骨等を成分とする膠と煤と香料とを含む固形墨１Ｓを粉砕機により粉砕して第１粉末体１ＦＡを形成する。第１粒子体１Ａは、上記膠の粒子と香料の粒子が練り込まれた煤の粒子とが混然一体化して成る。第２粒子体１Ｂは上記煤の粒子より成る。第３粒子体１Ｃは、第１粒子体１Ａ中の膠の粒子よりも粒径が大きい膠の粒子と上記煤の粒子とが混然一体化して成る。第１網目ＮＡＳの寸法は第３粒子体１Ｃを通さない寸法に設定されている。第１粉末体１ＦＡを、第１網ＮＡを介して濾過する。第２網目ＮＢＳの寸法は第１網目ＮＡＳの寸法よりも狭い。濾過後の第２粉末体１ＦＢを、第２網ＮＢにより再度濾過する。再度の濾過後の第２網ＮＢ上の残留粉末体の一部と、第３粉末体１ＦＣとを混在化して、粉末墨１を形成する。【選択図】図３
2015063591.tif 000002
【特許請求の範囲】
【請求項１】
その各々が、少なくとも、魚類の一部分より成る膠の粒子及び煤の粒子を含む複数の第１粒子体と、
その各々が、前記膠を含まず且つ少なくとも前記煤の粒子を含む複数の第２粒子体と
を備えており、
前記複数の第１粒子体及び前記複数の第２粒子体は粉末状に混在されている
ことを特徴とする、粉末墨。
【請求項２】
所定量の水を容器内に入れる工程と、
請求項１に記載の前記粉末墨の一部を前記容器内に加える工程と、
前記容器を振ることで前記粉末墨の前記一部を前記水に溶かす工程と
を備えることを特徴とする、墨液の製造方法。
【請求項３】
少なくとも、魚類の一部分より成る膠及び煤を有する固形の墨を粉砕する工程と、
粉砕後に得られる第１粉末体を、第１網目を有する第１網を介して濾過する工程と、
前記第１網を通過した第２粉末体を、前記第１網目の寸法よりも狭い寸法を有する第２網目より成る第２網を介して再度濾過する工程と、
前記第２網を通過した第３粉末体と、再度の濾過工程後に前記第２網上に残留した粉末体の所定量の一部とを、混在化する工程と
を備えることを特徴とする、粉末墨の製造方法。
【発明の詳細な説明】
【技術分野】
【０００１】
本発明は、膠を含む固形の墨（以下「固形墨」という。）より作成される粉末墨（全体的に粉末状の墨に該当。）に関する。
【背景技術】
【０００２】
和紙の様な種々の紙又は木板等の媒体に筆を用いて墨で文字を書く又は図柄（墨絵）を描く、書画制作に於いては、固形墨が古くから用いられてきた。固形墨は、化学薬品類より成る墨汁とは異なり、煤の他に、ゼラチンを主成分とする膠及び当該膠の臭いを防ぐ香料を含んでいる。斯かる膠は、煤を、水で流れてしまわない様に、紙等の媒体に定着させる接着材としての役割を担う重要な墨の成分である。この膠の効能により、古来に於いて和紙、襖又は木板等の媒体に描かれた墨の文字又は墨絵等の書画・古文書は、現在に於いても墨が消えてしまうことなく、現存している。
【０００３】
この固形墨は、墨汁とは異なり、自然の産物より成り、防腐剤の様な化学薬品類を一切含まないので、筆を損傷させてしまうことはない。
【０００４】
そして、現在に於いても、墨と筆とを用いて紙等の媒体に墨の文字等を書くこと（書画・習字）を趣味とする人々が、多々存在する。
【０００５】
尚、墨汁の粉末技術に関する先行技術として、特許文献１及び２に記載の発明が提案されている。
【先行技術文献】
【特許文献】
【０００６】
【特許文献１】特許第２７５１４０５号公報
【特許文献２】特許第２７５１４０６号公報
【発明の概要】
【発明が解決しようとする課題】
【０００７】
しかし、昨今では、書画作成前に液状の墨を準備するための固形墨を磨る作業が面倒であり且つそれなりの技能を要するために、固形墨を使用する代わりに、上記の墨汁を使用する人々が、増えている。そのため、固形墨の需要が減少する傾向にある。
【０００８】
そこで、本発明は、上記の現状を打破するために創作されたものであり、既述の固形墨の利点・効能を全て備えつつ、固形墨に代わる新たな墨を開発することを、その主目的としている。
【課題を解決するための手段】
【０００９】
本発明に係る粉末墨の主題は、その各々が、少なくとも、魚類の一部分より成る膠の粒子及び煤の粒子を含む複数の第１粒子体と、その各々が、前記膠を含まず且つ少なくとも前記煤の粒子を含む複数の第２粒子体とを備えており、前記複数の第１粒子体及び前記複数の第２粒子体が粉末状に混在されている点を、特徴とする。
【発明の効果】
【００１０】
本発明に係る粉末墨の主題によれば、各第１粒子体の膠の粒子は水（水道水等。）又はそのぬるま湯（包括して「水」と定義する。）に容易に溶けるので、化学薬品を一切含ませずに液体状の墨（以下「墨液」という。）を容易に作成することが出来、固形墨を磨る作業を大幅に軽減し得る。しかも、粉末墨の墨としての特性・効果は、固形墨のそれと同じであり、本発明の主題は、使用量に応じて、一部の粉末墨を用いて固形墨と同等の墨の特性を備えた墨液を作成することを可能とする。
【００１１】
以下、本発明の様々な具体化を、添付図面を基に、その効果・利点と共に、詳述する。
【図面の簡単な説明】
【００１２】
【図１】粉末墨を含む容器の内部を透視した場合の正面図である。
【図２】粉末墨より墨液を製造する工程を模式的に示す断面図である。
【図３】固形墨より粉末墨を製造する工程を模式的に示す工程図である。
【発明を実施するための形態】
【００１３】
（実施の形態１）  粉末墨の構成及びその作用・効果
【００１４】
＜粉末墨の構成＞
図１は、粉末墨１を含む容器１０の内部を透視する態様にて、当該容器１０を示す正面部である。図１に於いて、ガラス容器等の容器１０内に入れられている粉末墨１は、魚類の一部分（例えば、魚の骨。）から作られる複数の膠の粒子（第１粒子体）１Ａ、及び、複数の墨の煤の粒子（第２粒子体）１Ｂを混在一体の状態として含む、粉末状の墨である。ここで、自然の物のみから作られる「膠」は、既述した通り、ゼラチンを主成分とする接着材として機能するものであり、煤を紙等の媒体の表面上に定着させるために、墨汁とは異なる本来の墨にとって必須の物である。又、「煤」は、松脂又は菜種油等の植物の油を燃やして生ずる物であり、墨の元となる物である。又、後述する「香料」は、上記の「膠」の臭いを取るための物である。尚、図１中のハッチング表示は、あくまでも記載の便宜上のものであって、粉末墨１の外延を示す。
【００１５】
より詳細には、図１中に例示される複数の第１粒子体１Ａの各々は、上記魚類の一部分より成る膠の粒子、煤の粒子、及び香料の粒子が互いに結合して成る、１個の粒子体である。他方、複数の第２粒子体１Ｂの各々は、煤の粒子及び香料の粒子が互いに結合して成る、１個の粒子体であり、膠を少量のみ含む粒子体である。これらの第１粒子体１Ａの各々及び第２粒子体１Ｂの各々が粉末状に混在されることで、粉末墨１は構成されている。
【００１６】
ここで、第１粒子体１Ａの各々に含まれる、魚の骨等から作られる膠は、水（水道水等。）又は水のぬるま湯（「水」に該当。）に溶解し易い特性を備えている。仮に、当該膠の一部が水中に沈殿しても、当該沈殿物は時間の経過と共に、何れは完全に水道水等の水に溶け込んでしまう。それに対して、牛等の哺乳類の身体部（牛の骨等。）を成分として作られる、日本製の膠は、水道水等の水に対する溶解性を有しない。
【００１７】
以上の通り、粉末墨１中の粉状の第１粒子体１Ａの各々に含まれる膠は、水（水道水等。）のぬるま湯（「水」に該当。）に容易に溶け込んでしまう点を応用することで、化学薬品類（防腐剤を含む。）を全く含まない、従って、腐食することの無い保存性を備え、外出時にも携帯することが可能な粉末墨１を用いて、液状の墨液を容易に製造することが出来る。その点を、以下に、図２の断面図に基づき記載する。
【００１８】
＜墨液の製造方法＞
第１工程Ｓ１：  例えば、空の合成樹脂性の容器、より具体的には、空となったペットボトル４を、墨液を作成するための容器として、準備する。尚、合成樹脂性の容器以外の容器を用いても良い。
【００１９】
第２工程Ｓ２：  所定量の水（水道水等。）又は水のぬるま湯を、空のペットボトル４内に入れる。夏場に於いては、水（水道水等。）をそのまま用いても良い。他方、冬場に於いては、水（水道水等。）の温度が低いため、ある程度の温かい水を用いる方が、粉末墨は、より溶け易い。既述の通り、水（水道水等。）又は当該水を温めて成る「ぬるま湯」の何れをも、「水」と定義する。
【００２０】
第３工程Ｓ３：  図１の容器１０から粉末墨１の一部（所定の量の粉末墨１）１Ｐを、ペットボトル４内に加える。
【００２１】
尚、第２工程Ｓ２と第３工程Ｓ３との順序が逆転しても良い。
【００２２】
この時点でのペットボトル４内の状態を模式的に示す図が、図２の断面図である。
【００２３】
第４工程Ｓ４：  所定量の粉末墨１Ｐと所定量の水３とが含まれているペットボトル４を容器毎、所定回数（例：２０回〜３０回程）、振ることで、粉末墨の一部１Ｐを水３内に溶かし込む。多少の量の膠粒子が沈殿していても、継時変化により、当該沈殿物も完全に水３中に溶解される。この工程Ｓ４は、魚の骨等より作成した膠の持つ水に対する溶解性を積極的に応用した点にある。ペットボトル４の準備に関しては家庭内で調達可能であるし、ペットボトル４を振るだけで、使用量に応じた適量の墨液を個人が製造することが出来る。
【００２４】
例えば、粉末墨の一部１Ｐの量が１０ｇに対して、水の量を１００ｍｌとした場合には、濃墨が実現される。
【００２５】
＜粉末墨１及び墨液の作用・効果＞
粉末墨１は、魚類の一部分より作成した膠の粒子を煤の粒子の定着剤として含む固形墨に含まれる既述の成分（煤、膠、香料）のみを含むにすぎず、防腐剤等の薬品類は一切含まれていない。
【００２６】
そのため、粉末墨１及び水道水等の水（その「ぬるま湯」を含む。）を混在させる作業のみで墨液を容易に作成することが出来る。
【００２７】
そして、作成済みの墨液は、固形墨と同等の特質を備えており、そのために、使用時においては筆を何ら損傷させることもなく、大きなスペースの容器の保管場所が不要であるので、粉末墨１が入った容器１０を携帯して外出することも、当該容器１０がかさばることなく、容易である。
【００２８】
粉末墨１より作成した上記の墨液を利用する場合には、固形墨の使用時に必要な墨を磨る作業・手間は、大幅に軽減される。その際、使用量に応じて、所定の量の墨液を作成すれば良い。上記の通り、粉末墨１及び上記の墨液には薬品類は一切含まれていないので、墨本来の墨色と香りとを、書画を作成する者は味わい楽しむことが出来る。しかも、固形墨の様な、墨が割れて使い難くなるという事態の発生も全く無い。
【００２９】
以上の様に、従来の固形墨と同等の特質・品質を保持しつつ、より利便性が増した墨（粉末墨及び墨液）が実現される。
【００３０】
（実施の形態２）  粉末墨１の製造方法
図３は、実施の形態１に係る粉末墨１を製造する工程を模式的に記載した図である。
【００３１】
先ず、固形墨１Ｓを準備する。固形墨１Ｓは自ら制作しても良いし、外部から購入して調達しても良い。但し、固形墨１に含まれる接着剤としての膠は、魚介類の一部（魚の骨等。）を主成分として作成されたものに限定される。又、固形墨の作成時には、香料が、粘土を作成する様に、煤と膠とより成る固形物に練り込まれるので、香料の粒子は、煤の粒子自体等に練り込まれている。
【００３２】
次に、上記の構成を有する固形墨１Ｓを、市販の粉砕機を用いて、完全に粉状に破損して粉砕化する。この粉砕処理後に得られるパウダー化された粉末体が、図３に於いて、第１粉末体１ＦＡとして表示されている。
【００３３】
第１粉末体１ＦＡ中には、既述した複数の第１粒子体１Ａ及び第２粒子体１Ｂ、並びに、第３粒子体１Ｃが混在されている。この第３粒子体１Ｃにも、第１粒子体１Ａと同様に、魚の骨等を成分として作成された膠の粒子と、煤の粒子と、煤の粒子に練り込まれた香料の粒子とが含まれているが、膠の粒子の粒径は、第１粒子体１Ａ中の膠の粒子体の粒径よりも大きい。その意味で、第３粒子体１Ｃは、第１粒子体１Ａよりも粗い粒子体である。そのため、第３粒子体１Ｃが水道水等の水に完全に溶け込むために要する時間は、他の粒子体１Ａ，１Ｂよりも長くなると想定されるので、第３粒子体１Ｃの排除が求められる。
【００３４】
次に、第１辺ＤＡ１及び第２辺ＤＡ２より成る、比較的に粗い目の第１網目ＮＡＳを有する第１網（例：金網）ＮＡを準備する。その上で、粉砕後の第１粉末体１ＦＡを、第１網ＮＡを用いて、第１番目の濾過を行う。ここで、第１網ＮＡの第１網目ＮＡＳの寸法は、第１粉末体１ＦＡの第３粉末体１Ｃが通りぬけることが阻止される寸法に設定されている。
【００３５】
当該第１濾過処理の結果、複数の第１及び第２粒子体１Ａ，１Ｂのみが、第１網ＮＡの各網目ＮＡＳを通過して、両粒子体１Ａ，１Ｂのみが混在一体化してなる粉状の第２粉末体１ＦＢが生成される。その結果、第１網ＮＡ上に残留された第３粒子体１Ｃより成る粉末体は、最終的な製品である粉末墨１の形成工程に於いて、排除される。
【００３６】
次に、第１辺ＤＢ１及び第２辺ＤＢ２より成る、第１網目ＮＡＳと比較して狭い寸法の網目の第２網目ＮＢＳを有する第２網（例：金網）ＮＢを準備する。ここでは、ＤＢ１＜ＤＡ１、及び、ＤＢ２＜ＤＡ２の関係が成立する。第２網目ＮＢＳの各寸法ＤＢ１，ＤＢ２は、より多くの第２粒子体１Ｂが第２網目ＮＢＳを通り抜ける様に、且つ、より多くの第１粒子体１Ａが第２網目ＮＢＳ上に残留する様に、設定される。ここでも、より多くの第１粒子体１Ａが最終製品となる粉末墨１に含まれると、第１粒子体１Ａ中の膠の粒子が完全に水に溶け込んでしまうのに要する時間が長くなることが考慮され、より多くの第２粒子体１Ｂを採取することが考慮される。
【００３７】
その上で、第２粉末体１ＦＢを、第２網ＮＢを用いて、再度の濾過を行う。その結果、第２網ＮＢを通過した粉末体である第３粉末体１ＦＣ中に含まれる粒子体の多くは第２粒子体１Ｂであり、第３粉末体１ＦＣ中に含まれる第１粒子体１Ａの数は比較的に少なくなる。
【００３８】
次に、第２の濾過後に第２網ＮＢ上に残留した粉末体の内から採取された適宜な量の当該粉末体の一部と、第３粉末体１ＦＣの全体とが、混在・一体化されて、第１粒子体１Ａと第２粒子体１Ｂとを含む粉末墨１が形成される。膠の速やかな水溶性を確保するための適宜な量の第１粒子体１Ａが粉末墨１中に含まれているので、粉末墨１中の複数の膠の粒子は、水に溶け込む煤の粒子を紙等の媒体に確実に定着させる機能を保ちつつ、その殆どの膠の粒子が、既述した２０回〜３０回程度の墨液用容器の振り動作で水に溶解されてしまい、沈殿物の量は微量となる。
【００３９】
以上の処理工程を経ることで、実施の形態１に於いて既述した作用・効果を奏する粉末墨１が容易に製造される。
【００４０】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００４１】
この発明は、魚類の一部分を成分として作成される膠、煤、及び香料を含む固形墨より作成される粉末状の墨に適用して好適である。
【符号の説明】
【００４２】
１      粉末墨（粉末状の墨）
１Ａ    第１粒子体
１Ｂ    第２粒子体
１Ｃ    第３粒子体
１ＦＡ  固形墨の粉砕後の第１末体
１ＦＢ  第２粉末体
１ＦＣ  第３粉末体
１Ｓ    固形墨
ＮＡ    第１網
ＮＢ    第２網
３      水
４      ペットボトル
【図１】
2015063591.tif 000003
【図２】
2015063591.tif 000004
【図３】
2015063591.tif 000005